(57)【特許請求の範囲】
【請求項１】
第１の集音手段と、
第２の集音手段と、
前記第１の集音手段に対する風の影響を物理的に低減する低減手段の装着を検出する検出手段と、
前記第１の集音手段により得られた音声信号と、前記第２の集音手段により得られた音声信号とを記録する記録手段と、
前記第１の集音手段により得られた音声信号における、前記低減手段の１次共振周波数より低く設定された所定の周波数よりも低い周波数の信号と、前記第２の集音手段により得られた音声信号における、前記所定の周波数よりも高い周波数の信号とを合成し、合成信号を出力する処理手段と、
前記検出手段により前記低減手段の装着が検出されたことに応じて、前記処理手段から出力された前記合成信号を前記記録手段により記録させる手段
とを有する音声処理装置。
【請求項２】
前記記録手段は、前記検出手段により前記低減手段の装着が検出されていない場合、前記第１の集音手段により得られた音声信号と、前記第２の集音手段により得られた音声信号とを記録媒体に記録することを特徴とする請求項１に記載の音声処理装置。
【請求項３】
前記検出手段は、前記第１の集音手段により得られた音声信号における前記１次共振周波数よりも高い周波数と、前記第２の集音手段により得られた音声信号における前記１次共振周波数よりも高い周波数とを比較した結果に基づいて、前記低減手段の装着を検出することを特徴とする請求項１または２に記載の音声処理装置。
【請求項４】
前記検出手段は、前記低減手段の装着を検出するスイッチであることを特徴とする請求項１または２に記載の音声処理装置。
【請求項５】
前記低減手段は、弾性体であることを特徴とする請求項１から４のいずれか１項に記載の音声処理装置。
【請求項６】
前記１次共振周波数が５００Ｈｚ以上であることを特徴とする請求項１から５のいずれか１項に記載の音声処理装置。
【請求項７】
前記低減手段は、樹脂製フィルムであることを特徴とする請求項１から６のいずれか１項に記載の音声処理装置。
【請求項８】
前記所定の周波数は、前記低減手段の１次共振周波数よりも低く、風による雑音の周波数よりも高い周波数であることを特徴とする請求項１から７のいずれか１項に記載の音声処理装置。
【請求項９】
請求項１から請求項８のいずれか１項に記載の音声処理装置を有することを特徴とする撮像装置。
【発明の詳細な説明】
【技術分野】
【０００１】
本発明は、音声処理装置及び撮像装置に関し、より具体的には、周囲の音声を取り込む音声処理装置、及びその音声処理装置を具備する撮像装置に関する。
【背景技術】
【０００２】
様々な環境下で音声を忠実に取得又は記録する音声処理装置が必要とされている。例えば、ビデオカメラ等の撮像装置は屋外撮影に使用されることが多く、音声処理装置は、風による雑音（以下「風雑音」という。）を同時に取り込んでしまう。
【０００３】
このような風雑音を抑制する技術として、特許文献１には、主マイクの後方に副マイクを設け、両マイクの出力信号を処理することが記載されている。特許文献２には、撮像装置の筐体に粘着テープで吸音材を貼り付けることで風雑音を抑制することが記載されている。
【先行技術文献】
【特許文献】
【０００４】
【特許文献１】特開平９−６５４８２号公報
【特許文献２】特開２００６−２１１３０２号公報
【発明の概要】
【発明が解決しようとする課題】
【０００５】
特許文献１に記載の技術では、風雑音低減の性能が十分ではなく、また２つのマイクを用いているがモノラル録音しか出来ない。
【０００６】
特許文献２に記載の技術では、風雑音の抑制効果を高めようとすると吸音材の厚みが増して全体が大型化し、録音したい目的音声が劣化する。
【０００７】
本発明は、このような不都合を解消する音声処理装置及び撮像装置を提示することを目的とする。
【課題を解決するための手段】
【０００８】
上記目的を達成するために、本発明に係る音声処理装置は、第１の集音手段と、第２の集音手段と、前記第１の集音手段に対する風の影響を物理的に低減する低減手段の装着を検出する検出手段と、前記第１の集音手段により得られた音声信号と、前記第２の集音手段により得られた音声信号とを記録する記録手段と、前記第１の集音手段により得られた音声信号における、前記低減手段の１次共振周波数より低く設定された所定の周波数よりも低い周波数の信号と、前記第２の集音手段により得られた音声信号における、前記所定の周波数よりも高い周波数の信号とを合成し、合成信号を出力する処理手段と、前記検出手段により前記低減手段の装着が検出されたことに応じて、前記処理手段から出力された前記合成信号を前記記録手段により記録させる手段とを有することを特徴とする。
【０００９】
本発明に係る撮像装置は、上記音声処理装置を具備することを特徴とする。
【発明の効果】
【００１０】
本発明によれば、簡易な構造で風雑音を低減でき、風雑音がないときにはステレオ入力が可能な音声処理装置を提供できる。
【図面の簡単な説明】
【００１１】
【図１】本発明の一実施例の構成図である。
【図２】本実施例を適用するデジタル一眼レフカメラの中央断面図である。
【図３】本実施例のマイクの周波数特性を示す模式図である。
【図４】本実施例のマイクユニットの断面構成図である。
【図５】本発明の別の実施例の構成図である。
【図６】マイクをカバーする手段の構成を示す図である。
【図７】マイクをカバーする手段の別の構成を示す図である。
【図８】本実施例の別の実施例の構成図である。
【図９】比較検出部の概略構成ブロック図である。
【図１０】本実施例の別の実施例の構成図である。
【図１１】本発明の一実施例を使用するシステムの構成図である。
【図１２】図１１に示すシステムでカメラに配置される部分の構成図である。
【図１３】図１１に示すシステムで外部演算処理装置に配置される部分の構成図である。
【図１４】図１１に示すシステムでカメラと外部演算処理装置に配置される別の構成を示す構成図である。
【図１５】本発明の一実施例を使用する別のシステムの構成図である。
【発明を実施するための形態】
【００１２】
以下、図面を参照して、本発明の実施例を詳細に説明する。
【実施例１】
【００１３】
図１は、本発明に係る音声処理装置の概略構成ブロック図を示す。図２は、図１に示す音声処理装置を組み込む撮像装置であるデジタル一眼レフカメラの中央断面図を示す。
【００１４】
先ず、図２を参照して、デジタル一眼レフカメラ１００の構成を説明する。１０１はデジタル一眼レフカメラ１００のカメラボディを示し、１０２は撮影レンズを示す。撮影レンズ１０２前方から入射する被写体光学像は光軸１０５を通ってカメラボディに入光する。静止画及び動画の撮影時には主ミラー１１０及びサブミラー１１３は、被写体光学像が撮像素子１１８に入射するように撮影光路から退避する。また、動画撮影時はさらに、マイクユニット１１５を構成する第１マイク及び第２マイクが被写体音声を含む周囲音声を取り込み、カメラ制御部１２０に供給する。カメラ制御部１２０は、マイクユニット１１５からの音声を記録用に処理し、撮像素子１１８で撮像された画像データと同期して不図示の記録装置に記録する。
【００１５】
液晶ディスプレイ１１７は、動画撮影時には撮影中の動画像を表示し、撮影後の静止画を表示し、動画及び静止画の再生画像を表示する。液晶ディスプレイ１１７はまた、メニュー及び撮影設定等を表示し、カメラ制御部１２０は、撮影者による不図示の操作ボタンの操作に応じて設定を変更する。
【００１６】
図１は、マイクユニット１１５を構成する第１マイク２０１ａ及び第２マイク２０１ｂの配置と、マイク２０１ａ，２０１ｂの出力音声信号を処理する回路を示す構成ブロック図である。
【００１７】
カメラボディ１０１の外装面２０６にマイク孔２０７ａ，２０７ｂを設けてある。マイク孔２０７ａ，２０７ｂの背面に、マイク支持部材２０２ａ，２０２ｂでそれぞれフローティング支持された第１マイク２０１ａと第２マイク２０２ｂが配置されている。カバー２０４は矢印２２０方向からマイク２０１ｂ上の外装面２０６に密着して取り付けできる構造になっており、操作者によって外装面２０６から取り外し可能である。カバー２０４は弾性体である樹脂製のフィルム２０３を有する。フィルム２０３は、薄膜形状で通気性を持たない樹脂材料で形成されており、１次共振周波数が５００Ｈｚ以上であることが望ましい。これは風雑音が５００Ｈｚ以下で発生することに起因する。詳しい説明は後述する。本実施例ではフィルム２０３ポリイミドフィルムを用い、１次共振周波数が約１．５ｋＨｚである形状に加工してある。
【００１８】
カバー２０４には、マイク孔２０７ｂと同軸位置に孔２０４ｃを開けてある。カバー２０４のカバー凸部２０４ａ，２０４ｂが、それぞれ外装面凹部２０６ｂ，２０６ａに嵌合する。図４は、カバー２０４を外装面２０６に装着した状態の断面図を示す。図４に示すように、カバー２０４が取り付けられると、カバー凸部２０４ｂが外装面２０６内に入り込み、検出スイッチ２０５を押す。この構成により、検出スイッチ２０５は、カバー２０４の装着を検出する。また、カバー２０４が装着されると、マイク２０１ｂのマイク孔２０７ｂはフィルム２０３によって密閉され、風による空気の移動が遮断される。つまり、検出スイッチ２０５は、マイク２０１ｂのマイク孔２０７ｂのフィルム２０３による密閉を検出する手段とも言える。撮影者による風雑音除去モードの指定に応じて、フィルム２０３がマイク孔２０７ｂを密閉する構成も可能である。この観点では、検出スイッチ２０５は、撮影者又はユーザによる風雑音除去モードの指定を検出する手段とも言える。弾性体で構成されるフィルム２０３は、マイク孔２０７ｂを密閉又は開放し、マイク２０１ｂへの空気の移動を調整する調整手段といえる。
【００１９】
マイク２０１ａの出力は、選択部２１２ａと、高域通過フィルタ処理のハイパスフィルタ（ＨＰＦ）２１３に接続する。マイク２０１ｂの出力は、選択部２１２ｂと、低域通過フィルタ処理のローパスフィルタ（ＬＰＦ）２１４に接続する。ＨＰＦ２１３及びＬＰＦ２１４のカットオフ周波数は共に１ｋＨｚに設定されている。合成部２１１が、ＨＰＦ２１３とＬＰＦ２１４の出力を加算し、加算結果を選択部２１２ａ，２１２ｂに供給する。選択部２１２ａは、検出スイッチ２０５の検出結果に従いマイク２０１ａ又は合成部２１１の出力信号を選択し、選択結果の音声信号をＲｃｈ（右チャンネル）音声信号として出力する。他方、選択部２１２ｂは、検出スイッチ２０５の検出結果に従いマイク２０１ｂ又は合成部２１１の出力信号を選択し、選択結果の音声信号をＬｃｈ（左チャンネル）音声信号として出力する。デジタル一眼レフカメラ１００は、選択部２１２ａ，２１２ｂから出力されるＲｃｈ信号及びＬｃｈ信号は、デジタル一眼レフカメラ１００内の不図示の記録装置に供給されて記録される。
【００２０】
図３は、マイク２０１ａ，２０１ｂの集音特性を示す。横軸は周波数（Ｈｚ）を示し、縦軸はゲイン（ｄＢ）を示す。図３（ａ）は、マイク２０１ａの集音特性を示す。図３（ａ）に示す特性はまた、カバー２０４が装着されていないときのマイク２０１ｂの集音特性でもある。図３（ａ）に示すように、可聴帯域においてほぼフラットな特性になる。図３（ｂ）は、カバー２０４が装着されマイク孔２０７ｂが密閉されているときのマイク２０１ｂの集音特性を示す。低周波帯域ではフラットな特性だが、フィルム２０３の１次共振周波数ｆｓ１を境に高周波帯域では著しく減衰する。これは、弾性体であるフィルム２０３が被写体音による高周波帯域の空気の振動を吸収するからである。
【００２１】
図３（ｃ）は、風雑音に対するマイク２０１ａの周波数特性を示す。図３（ｃ）に示す特性はまた、カバー２０４が装着されていないときのマイク２０１ｂの風邪雑音に対する集音特性でもある。風雑音が、約５００Ｈｚ以下の低周波帯域で発生していることを示す。
【００２２】
図３（ｄ）は、カバー２０４が装着されているときのマイク２０１ｂの風雑音に対する周波数特性を示す。図３（ｃ）に比べると風雑音が大きく減衰している。フィルム２０３がマイク孔２０７ｂを密閉することにより、風による空気の移動がマイク孔２０７ｂからマイク２０１ｂに伝わりにくくなり、マイク２０１ｂの前方で乱流などの風雑音の原因となる気流の乱れが発生しにくい為である。
【００２３】
本実施例の音声処理動作を説明する。屋内撮影など、風雑音を除去する必要が無い環境では、撮影者は、カバー２０４を外装面２０６に装着しない。検出スイッチ２０５は、マイク孔２０７ｂがカバー２０４のフィルム２０３により密閉されていないことを検出する。検出スイッチ２０５の検出出力に従い、選択部２１２ａはマイク２０１ａの出力音声信号を選択してＲｃｈ信号として出力する。同様に，選択部２１２ｂは、検出スイッチ２０５の検出出力に従い、マイク２０１ｂの出力音声信号を選択し、Ｌｃｈ信号として出力する。この結果、カバー２０４が装着されていないときには、マイク２０１ａ，２０１ｂの出力音声信号がステレオ音声信号として後段回路に出力される。
【００２４】
一方、屋外などの風雑音が心配される環境での撮影の際には、撮影者はカバー２０４を外装面２０６に装着する。カバー２０４の装着により、検出スイッチ２０５は、カバー２０４の凸部２０４ｂで押され、マイク孔２０７ｂのフィルム２０３による密閉を検出する。ＨＰＦ２１３は、マイク２０１ａの出力音声信号の、１ｋＨｚ以下の成分、すなわち、約５００Ｈｚ以下の風雑音を含む低周波成分を大幅に低減して合成部２１１に供給する。また、ＬＰＦ２１４は、マイク２０１ｂの出力音声信号の、１ｋＨｚ以上の成分を減衰して合成部２１１に供給する。すなわち、ＬＰＦ２１４は、主に風雑音からなる音声信号を合成部２１１に供給する。
【００２５】
合成部２１１は、ＨＰＦ２１３の出力にＬＰＦ２１４の出力を加算し、加算結果を選択部２１２ａ，２１２ｂに出力する。ＨＰＦ２１３とＬＰＦ２１４の出力に含まれる風雑音レベルが互いに同程度になるように、ＨＰＦ２１３及びＬＰＦ２１４のフィルタ特性が調整されている場合、合成部２１１は、ＨＰＦ２１３の出力からＬＰＦ２１４の出力を減算してもよい。ＨＰＦ２１３、ＬＰＦ２１４及び合成部２１１からなる部分の周波数特性は、風雑音を大幅に低減しながら、被写体音についてはフラットな特性を示す。
【００２６】
選択部２１２ａは、検出スイッチ２０５の風雑音除去モードの検出出力に従い、合成部２１１から出力される合成信号を選択し、Ｒｃｈ信号として出力する。同様に、選択部２１２ｂは、検出スイッチ２０５の風雑音除去モードの検出出力に従い、合成部２１１から出力される合成信号を選択し、Ｌｃｈ信号として出力する。すなわち、この風雑音除去モードでは、ＲｃｈとＬｃｈは、風雑音が低減された同一の音声信号からなる。合成部２１１からの同一の合成音声信号をＲｃｈ及びＬｃｈに出力し録音することを、以下、風雑音低減モノラル録音と呼ぶ。
【００２７】
ＨＰＦ２１３及びＬＰＦ２１４のカットオフ周波数を、風雑音が含まれる５００Ｈｚからフィルム２０３の１次共振周波数の範囲内の同じ値に設定する。これにより、合成部２１１の出力音声信号は、風雑音を低減しつつも被写体音に対してフラットな周波数特性になる。例えば、カットオフ周波数をフィルム２０３の１次共振周波数よりも高く設定すると、マイク２０１ｂの出力音声信号の内の、１次共振周波数とカットオフ周波数の間の成分は、フィルム２０３とＬＰＦ２１４の両方で減衰されることになる。この結果、マイク２０１ｂの出力音声信号に対するネットのゲイン特性は、カットオフ周波数からフィルム２０３の１次共振周波数の間の範囲でゲインが落ちてしまう。従って、カットオフ周波数は、フィルム２０３の１次共振周波数よりも低いことが望ましい。
【００２８】
また、カットオフ周波数を５００Ｈｚ以下に設定した場合、風雑音は５００Ｈｚ以下に多く含まれるので、ＨＰＦ２１３は、マイク２０１ａの出力音声信号から十分に風雑音を低減できない。この結果、Ｒｃｈ信号及びＬｃｈ信号として、風雑音が十分に低減されていない音声信号が出力されてしまう。よって、カットオフ周波数は５００Ｈｚ以上が望ましい。
【００２９】
以上説明したように、本実施例では、撮影者によって取り外し可能なカバー２０４によってマイク２０１ｂのマイク孔２０７をフィルム２０３で密閉しているか否かに応じて、音声信号の処理方法を選択する。具体的には、カバー２０４が装着されていないときは、二つのマイク２０１ａ，２０１ｂの出力音声信号をステレオ音声信号として出力する。他方、カバー２０４が装着されているときには、二つのマイク２０１ａ，２０１ｂの出力音声信号を帯域通過処理し、合成することで風雑音を低減する。ネットの周波数特性は、被写体音に対してフラットになるように設定しておく。このような構成により、風雑音がない環境におけるステレオ録音と、風雑音がある環境での風雑音低減モノラル録音を選択できる。
【実施例２】
【００３０】
本実施例では、検出スイッチ２０５がカバー２０４の装着の有無を検出したが、図５（ａ）に示すような構成に変更しても良い。すなわち、選択指示部５１５を設け、ユーザによる選択指示部５１５からの命令で選択部２１２ａ，２１２ｂの選択を切り替えても良い。例えば、選択指示部５１５は、液晶ディスプレイ１１７に表示するメニュー設定などで撮影者が指示する構成とする。この場合、検出スイッチ２０５を設けなくても、ステレオ録音か風雑音低減モノラル録音かを選択出来る。
【００３１】
カバー２０４がフィルム２０３を有する構成を図５（ｂ）に示すように変更しても良い。すなわち、フィルム２０３を、片面が粘着面をもち、シールのように外装面２０６に貼り付けたり、剥がしたりできるものとし、必要時にマイク孔２０７ｂを密閉できるようにする。
【実施例３】
【００３２】
更には、図６に示すような構成のマイク孔閉成機構に変更しても良い。そのマイク孔閉成機構は、カメラボディに揺動可能に結合され、マイク孔２０７ｂをフィルム６０３が密閉する位置と開放する位置との間で移動可能である。図６（ａ）は、フィルム６０３を有する可動カバー６２１がマイク孔２０７ｂを密閉していない状態を、外装面２０６の上方から状態の平面図を示す。図６（ｂ）は、可動カバー６２１が回転軸６２１ｂを中心に回動し、マイク孔２０７ｂをフィルム６０３が密閉する状態を示す平面図である。図６（ｃ）は、図６（ａ）に示す状態に可動カバー６２１があるときの、可動カバー６２１、外装面２０６及びマイク２０１ａ，２０１ｂの断面図である。図６において、図１と同じ機能を持つ要素には同じ符号を付してある。
【００３３】
可動カバー６２１は外装面２０６上に配置される。カバーつまみ６２１ａを操作者がつかんで操作することで、回転軸６２２を中心にカバーガイド軸６２１ｂが外装面２０６に設けられたガイド溝６２３に沿って回動する。可動カバー６２１は弾性体であるフィルム６０３を有している。図６（ｂ）に示す位置に可動カバー６２１が回転し、フィルム６０３がマイク孔２０７の上面に位置するとき、マイク孔２０７ｂはフィルム６０３により密閉される。図６（ｃ）に示すように、回転軸６２２は外装面２０６に回転可能に勘合され、さらにカメラボディ１０１内側に電気接点６２４ａを有している。電気接点６２４ｂは外装面２０６の内側に設置されている。回転軸６２２が回転することで、電気接点６２４ａ及び６２４ｂが互いに接触または離反することで、可動カバー６２１の位置を電気的に検出する。すなわち、電気接点６２４ａ，６２４ｂは、マイク孔２０７ｂのフィルム６０３による密閉を検出する検出手段として機能する。電気接点６２４ａの電位に従い、選択部２１２ａ，２１２ｂは、出力すべき音声信号を選択する。
【実施例４】
【００３４】
図７は、フィルム７０３、フィルム７０３を有する着脱可能なカバー７０４及びカメラボディ１０１の外装面７０６の別の構成例を示す。図７（ａ）は、フィルム７０３とカバー７０４の分解断面図を示す。図７（ｂ）は、フィルム７０３を組み立てた後のカバー７０４と外装面７０６及びマイク２０１の分解断面図を示す。図７（ｃ）は、カバー７０４を装着した後の断面図を示す。
【００３５】
図７（ａ）に示す構成が、図１に示すフィルム２０３及びカバー２０４の構成と異なるのは、カバー７０４の上部にフィルム７０３の厚み分の深さのフィルム受け凹部７０４ｄが設けられている点である。
【００３６】
図７（ｂ）に示すように、フィルム７０３は、フィルム受け凹部７０４ｄに接着される。図７（ｂ）に示すように、外装面７０６にはカバー７０４と同形状でカバー７０４と勘合するカバー受け凹部７０６ｃが設けられている。図７（ｃ）に示すように、カバー７０４が外装面７０６のカバー受け凹部７０６ｃに装着されると、外装面７０６、カバー７０４及びフィルム７０３の外装側は同一平面７２５をなす。これにより、カバーの孔７０４ｃ及びマイク孔７０７ｂへの風による空気の移動が遮断される。この結果、カバー７０４ｃの孔７０４ｃの空間において風により発生する乱流、及びカバー７０４の端部に風が当たることで発生する乱流を防ぐことができ、その結果、風雑音の低減の効果をさらに高めることが出来る。
【実施例５】
【００３７】
図８は、本発明に係る音声処理装置のマイクユニットの構成と処理回路の構成を示す。図１と同じ作用の構成要素には同じ符号を付してある。検出スイッチ２０５に代えて、マイク２０１ａ，２０１ｂからの音声信号を比較しマイク孔２０７ｂのフィルム２０３による密閉を検出する比較検出部２１６を設けている。
【００３８】
図９は、比較検出部８１６の概略構成ブロック図を示す。図９を参照して，比較検出部８１６の検出動作を説明する。図３（ｂ）に示すように、フィルム２０３がマイク孔２０７ｂを密閉する状態では、マイク２０１ｂで収音される音声信号は、フィルム２０３の１次共振周波数を境に高周波成分が大きく減衰される。一方、フィルム２０３がマイク孔２０７ｂを密閉しない状態では、図３（ａ）に示すように、マイク２０１ａ，２０１ｂの被写体音に対する周波数特性は同じである。そこで、マイク２０１ａ，２０１ｂの出力音声信号の高周波成分を比較することで、マイク孔２０７ｂがフィルム２０３により密閉されているか否かを検出できる。
【００３９】
比較検出部８１６では、マイク２０１ａ，２０１ｂの出力音声信号がそれぞれＨＰＦ（高域通過フィルタ）８３１ａ，８３１ｂに入力する。ＨＰＦ８３１ａ，８３１ｂのカットオフ周波数は、フィルム２０３の１次共振周波数よりも高い値に設定される。音圧レベル算出部８３２ａ，８３２ｂがそれぞれ、ＨＰＦ８３１ａ，８３１ｂの出力信号の、一定時間の平均音圧レベルを算出する。音圧レベル比較部８３３が、音圧レベル算出部８３２ａ，８３２ｂで算出された平均音圧レベルを比較する。音圧レベル比較部８３３は、２つの平均音圧レベルの比が音圧レベル閾値を越えているか否かを判断する。平均音圧レベルを求める一定時間は、マイク２０１ａ，２０１ｂ間の距離によって二つの入力音声信号に時間遅れが生じることと、マイク２０１ａ，２０１ｂの感度差に起因する誤検出を防ぐことを考慮して決定される。マイク２０１ａ，２０１ｂ間の間隔により生じる最大の時間遅れは、マイク間距離をＬ、音速をＶｐとするとＬ／Ｖｐで求められる。よって、時間遅れが生じることによる誤検出を防ぐには、平均音圧レベルを求める一定時間を、Ｌ／Ｖｐより大きく設定すればよい。
【００４０】
マイク２０１ａ，２０１ｂからの音声信号の高周波帯域の平均音圧レベルをそれぞれＬｐａ，Ｌｐｂとし、音圧レベル閾値をＬｋとする。Ｌｋは１よりも小さい値が設定されている。カバー２０４が装着されていないときには、マイク２０１ａ，２０１ｂの被写体音の周波数特性は同じになるので、Ｌｐｂ／Ｌｐａはほぼ１となる。このとき、Ｌｐｂ／ＬｐａがＬｋ以上となり、音圧レベル比較部８３３は、マイク孔２０７ｂの非密閉を示す判定結果を選択部２１２ａ，２１２ｂに供給する。選択部２１２ａ，２１２ｂは、音圧レベル比較部８３３の判定結果に従い、先の実施例で説明したのと同様に動作する。
【００４１】
他方、カバー２０４が装着されているときには、高周波帯域においてマイク２０１ｂの周波数特性はマイク２０１ａのそれに対して大きく下がるので、Ｌｐｂ／Ｌｐａは１よりもかなり小さい値となる。このとき、Ｌｐｂ／ＬｐａがＬｋ未満となり、音圧レベル比較部８３３は、マイク孔２０７ｂのフィルム２０３による密閉を示す判定結果を選択部２１２ａ，２１２ｂに供給する。選択部２１２ａ，２１２ｂは、音圧レベル比較部８３３の判定結果に従い、先の実施例で説明したのと同様に動作する。
【００４２】
この実施例では、マイク２０１ａ，２０１ｂの出力音声信号の高周波成分の音圧レベルを比較することで、マイク孔２０７ｂのフィルム２０３による密閉の有無を検出する。この結果、カバー２０４の装着を検出する検出スイッチ２０５が不要になる。マイク孔２０７ｂがフィルム２０３により密閉されていないときはステレオ録音が行われ、マイク孔２０７が密閉されているときには風雑音低減モノラル録音が行われる。
【実施例６】
【００４３】
マイク２０１ａ，２０１ｂの出力音声信号の高周波成分レベルの比較だけでは、被写体音に高周波成分が含まれていないときに、誤判定してしまう。このような問題は、比較検出部８１６の検出結果を撮影者に知らせて、選択部２１２ａ，２１２ｂでの処理を撮影者の決定に委ねることで、解決できる。図１０は、そのように変更した構成の概略構成ブロック図を示す。図１に示す要素と同じ作用の要素には、同じ符号を付してある。
【００４４】
比較検出部８１６に対応する比較検出部１０１６が、比較結果を検出結果報知部１０１７に供給し、検出結果報知部１０１７が、その検出結果を撮影者に報知する。検出結果報知部１０１７は、例えば、液晶ディスプレイ１１７に比較検出部１０１６の検出結果を表示する手段、又は、スピーカから所定の音声で撮影者に報知する手段である。撮影者は、カバー２０４の装着を確認した上でステレオ録音か風雑音低減モノラル録音かを選択し、選択指示部１０１５により、選択部２１２ａ，２１２ｂにその選択を指示する。
【００４５】
被写体音に高周波成分が含まれていない場合でも、撮影者の判断により、比較検出部２１６における誤検出を防ぎ、撮影の意図に従った録音を行える。
【００４６】
カバー２０４及びフィルム２０３の構成に代えて、図５（ｂ）に示すフィルム２０３のみの構成も、採用可能である。
【実施例７】
【００４７】
上述した音声処理装置の機能の一部を撮像装置に組み込み、残る機能をコンピュータに代表される外部演算処理装置に組み込んでも良い。図１１は、図１に示す実施例の一部をデジタル一眼レフカメラ１１０２に組み込み、コンピュータに代表される外部演算処理装置１１０４に残りの機能と音声記録機能を組み込んだシステムの構成図を示す。デジタル一眼レフカメラ１１０２は、通信ケーブル１１０６により外部演算処理装置１１０４と接続する。
【００４８】
図１２は、図１に示す実施例の、デジタル一眼レフカメラ１１０２に組み込まれる部分を示し、図１３は、外部演算処理装置１１０４に組み込まれる部分を示す。図１に示す実施例と同じ作用の構成要素には同じ符号を付してある。デジタル一眼レフカメラ１１０２は、マイク２０１ａ，２０１ｂの出力音声信号をそれぞれＲｃｈ信号及びＬｃｈ信号として、検出スイッチ２０５の検出出力を検出結果情報として外部演算処理装置１１０４に供給する。
【００４９】
外部演算処理装置１１０４は、図１３に示すように、合成部２１１、ＨＰＦ２１３、ＬＰＦ２１４及び選択部２１２ａ，２１２ｂからなる。選択部２１２ａは、デジタル一眼レフカメラ１１０２からの検出結果情報に従い、カメラ１１０２からのＲｃｈ信号又は合成部２１１の合成音声信号を選択する。選択部２１２ｂは、デジタル一眼レフカメラ１１０２からの検出結果情報に従い、カメラ１１０２からのＬｃｈ信号又は合成部２１１の合成音声信号を選択する。外部演算処理装置１１０４は、選択部２１２ａ，２１２ｂの出力音声信号を図示しない記録媒体に記録する。第１実施例で説明したように、検出結果情報に従い、ステレオ録音又は風雑音低減モノラル録音が行われる。
【００５０】
カメラ１１０２は、マイク２０１ａ，２０１ｂの出力音声信号と検出結果情報を図示しない記録媒体に記録し、必要時にこれら音声信号と検出結果情報を再生して外部演算処理装置１１０４に供給しても良い。
【００５１】
この実施例では、カメラ１１０２が、ＨＰＦ２１３、ＬＰＦ２１４及び合成部２１１からなる風雑音低減処理機能を予め装備していない場合でも、風雑音を低減した音声を得ることができる。これは特に、検出スイッチ２０５を不要とする図５又は図８に示す音声処理装置の構成を採用する場合に有益である。図５に示す選択指示部５１５に相当する手段、及び図８に示す比較検出部８１６に相当する手段は、カメラ１１０２に配置してもよいが、外部演算処理装置１１０４に配置するのが好ましい。
【００５２】
図１４は、図８に示す構成を、デジタルカメラ１１０２と外部演算処理装置１１０４に分割配置する構成の構成例を示す。デジタルカメラ１１０２には、図１４（ａ）に示すように、マイク２０１ａ，２０１ｂとフィルム２０３付きのカバー２０４のみを配置する。外部演算処理装置１１０４には、図１４（ｂ）に示すように、比較検出部８１６、合成部２１１、ＨＰＦ２１３、ＬＰＦ２１４及び選択部２１２ａ，２１２ｂを配置する。外部演算処理装置１１０４での動作は、図８に示す構成と同じなので、詳細な動作説明は省略する。
【００５３】
図１４に示す構成例でも、カメラ１１０２は、マイク２０１ａ，２０１ｂの出力音声信号を図示しない記録媒体に記録し、必要時にこれら音声信号を再生して外部演算処理装置１１０４に供給しても良い。
【００５４】
通信ケーブル１１０６の代わりに、ＵＳＢメモリ等の着脱自在な記録媒体を介して、カメラ１１０２から外部演算処理装置１１０４に必要なデータを転送しても良い。図１５は、そのシステム構成例を示す。カメラ１１０２で撮影画像及び音声の記録に使用されるメモリカード１１０８を取り外す。そして、外部演算処理装置１１０４に接続したカードリーダ１１１０に装着し、外部演算処理装置１１０４にメモリカード１１０８のデータを読み込ませ、処理させる。
【図１】
0005725785.tif 000002
【図２】
0005725785.tif 000003
【図３】
0005725785.tif 000004
【図４】
0005725785.tif 000005
【図５】
0005725785.tif 000006
【図６】
0005725785.tif 000007
【図７】
0005725785.tif 000008
【図８】
0005725785.tif 000009
【図９】
0005725785.tif 000010
【図１０】
0005725785.tif 000011
【図１１】
0005725785.tif 000012
【図１２】
0005725785.tif 000013
【図１３】
0005725785.tif 000014
【図１４】
0005725785.tif 000015
【図１５】
0005725785.tif 000016